(57)【要約】【課題】  本発明の目的は、産業廃棄物を利用でき、しかも安全な焼却灰・炭化物からなる組成物本体の利用を推進すること。【解決手段】  本発明の灰組成物は、焼却灰（酸化物）及び炭化物とを主成分とする組成物本体であって、前記焼却灰は製紙スラッジ焼却灰、鶏糞灰、貝類灰等を前記炭化物は製紙スラッジ炭化物、木材炭化物、籾穀炭化物、竹炭化物、草炭化物等からなることを特徴とする。  又、前記焼却灰（酸化物）と炭化物とには鶏糞肥料を混合したことを特徴とする灰組成物である。さらに本発明の灰組成物の製造方法は焼却灰（酸化物）及び炭化物とを主成分とする組成物の製造方法する行程にて、この行程の焼却灰は製紙スラッジ焼却灰、鶏糞灰、貝類灰等を用い、炭化物は製紙スラッジ炭化物、木材炭化物、籾殻炭化物、竹炭化物、草炭化物等を用いることを特徴とするものであるとともに前記焼却灰（酸化物）と炭化物とには鶏糞肥料を混合したことを特徴とする灰組成物の製造方法である。【選択図】なし【特許請求の範囲】
【請求項１】
焼却灰（酸化物）及び炭化物とを主成分とする組成物本体であって、前記焼却灰は製紙スラッジ焼却灰、鶏糞灰、貝類灰等を前記炭化物は製紙スラッジ炭化物、木材炭化物、籾穀炭化物、竹炭化物、草炭化物等からなることを特徴とする灰組成物
【請求項２】
請求項１に示した焼却灰（酸化物）と炭化物とには鶏糞肥料を混合したことを特徴とする灰組成物
【請求項３】
焼却灰（酸化物）及び炭化物とを主成分とする組成物の製造方法する行程にて、この行程の焼却灰は製紙スラッジ焼却灰、鶏糞灰、貝類灰等を用い、炭化物は製紙スラッジ炭化物、木材炭化物、籾殻炭化物、竹炭化物、草炭化物等を用いることを特徴とする灰組成物の製造方法
【請求項４】
請求項３に示した焼却灰（酸化物）と炭化物とには鶏糞肥料を混合したことを特徴とする灰組成物の製造方法
【発明の詳細な説明】
【技術分野】
【０００１】
本発明は、土壌改良の促進剤としての灰組成物と、その製造方法に関する。
【背景技術】
【０００２】
従来、鶏糞などの畜産糞尿材を利用した堆肥は利用においてその臭いや形状に問題があった。一方、石灰，草木灰，炭化物等は農業資材として経験的に使用されているが、酸性土壌還元改良剤やミネラル肥料としての範囲を出ていない。製紙工場から排出される産業廃棄物としての焼却灰・炭化物はアルカリ性という性質から前記農業資材のひとつとして利用されているがやはり土壌改良剤として利用されていたに過ぎず、積極的で有効な技術は今だ存在していない。
【０００３】
このため、従来、土壌地力増進改良剤や土壌殺菌剤などの散布には、即効性があるものとして、仮令えば土地改善浄化・環境浄化剤として周知のナトリウムより発生する二酸化塩素の強い酸化力による細菌の除菌効果を利用したもの（特許文献１参照）があった。
【０００４】
しかしその散布効果として当該文献の表２では７日に最高で、一ヶ月程度は維持されるが、効果を継続するためには再度土壌に同様の散布作業を繰り返す必要があったので、その一過性は否めなかった。そのため土壌地力増進改良剤や土壌殺菌剤そのものには堆肥としての役割を期待できなかったのである。
【０００５】
【表２】
2005264001.tif 000002
【０００６】
【特許文献１】特許第２６８６５９１（要約書）
【発明の開示】
【発明が解決しようとする課題】
【０００７】
本発明の目的は産業廃棄物を利用でき、しかも安全な焼却灰・炭化物からなる組成物本体の利用を推進することである。他の本発明の目的は、鶏糞を堆肥として用いることにより効果的に利用し易くしたことである。
【０００８】
他の本発明の目的は、上記焼却灰（酸化物）と炭化物を別個に扱うことなく組み合わせ、一つの組成物本体に製造し、利用することである。
【０００９】
総じて本発明の目的は、土壌地力増進改良剤散布後の土地地力保持にある。
【課題を解決するための手段】
【００１０】
而して本発明の特徴は、焼却灰（酸化物）及び炭化物とを主成分とする組成物本体であって、前記焼却灰は製紙スラッジ焼却灰、鶏糞灰、貝  灰等を前記炭化物は製紙スラッジ炭化物、木材炭化物、籾殻炭化物、竹炭化物、草炭化物等からなることである。
【００１１】
また上記焼却灰（酸化物）と炭化物とには鶏糞肥料を混合したことである。また、それぞれの製造方法も本発明の特徴となしている。
【発明の効果】
【００１２】
総じて本発明灰組成物の効果は、粒状で扱い易い。また各散布機の使用が可能であり、病虫害を軽減し、未熟有機物の発酵促進が大きく、しかも良質の堆肥作りに安心して使用できる。
【００１３】
また青刈作物のスキ込み時やいなわらの堆肥化時にもよく、連作の各障害を軽減する効果が大きい。さらに病害を軽減させて、バレイショの肌をよくする効果が大きく、土壌線虫類を減少させる効果が期待できるのである。
【００１４】
なお本発明の灰組成物に鶏糞堆肥を堆肥として用いたことにより、肥料効果が高い微生物土改剤を兼ねた肥料を提供できたのである。
【発明を実施するための最良の形態】
【００１５】
この発明は、組成物本体が、焼却灰（酸化物）及び炭化物を主成分とするものである。ここで焼却灰（酸化物）は、紙製スラッジ灰、鶏糞灰、貝類灰がよい。
【００１６】
炭化物としては、紙製スラッジの炭化物、木材炭化物、  籾穀炭化物、竹炭化物、草炭化物がよい。また上記焼却灰（酸化物）と炭化物には、鶏糞堆肥を混合させてもよい。この場合かかる堆肥は、鶏糞のみに限ることなく、あらゆる食品残飯，糟，麩，ピートモス，紙製スラッジからでも選ぶことができる。
【実施例１】
【００１７】
而して本発明に於ける実施の一例として、特に古紙製紙スラッジを使用した。それは上記の製紙スラッジが安全性の高い原材料を使用する製紙工場の焼却処理したものであり、その焼却灰（酸化物）は安定的かつ安価に大量供給が可能であるからである。
【００１８】
また炭化物として製造された製紙スラッジも安定的にかつ安価に供給することが可能であり、このように産業廃棄物の焼却灰・炭化物扮のなかで製紙スラッジ有用なアルカリ組成物であるからである。
【００１９】
このように上記焼却灰（酸化物）は、その製造段階において充分な酸素供給によって金属酸化物、若しくはそれらの塩及び５％未満の炭成分により構成されているのである。また、炭化物は化学的に多孔性を有しておりアルカリ微生物の生息場所として好適である。
【００２０】
即ち、それは、パルプ製造から紙製造一環工場の製紙スラッジ焼却灰Ａ，および古紙再生から紙製造一環工場の製紙スラッジ焼却灰Ｂの灰化物について蛍光エックス線分析測定による表１のような結果を得たのである。
【００２１】
【表１】
2005264001.tif 000003
【００２２】
（表１の説明）
パルプ製造から紙製造一環工場の製紙スラッジ焼却灰Ａ、および古紙再生から紙製造一環工場の製紙スラッジ焼却灰Ｂの灰化物について蛍光エックス線分析測定表
【００２３】
而して以上の構成からなる組成物は、これを散布し易いように粒状に仕上げるもので、この組成物は自身のアルカリ性から殺菌力があるのは広く知られていることである。
【００２４】
これは焼却により過酸化されることにより活性酸素を生成し選択的に殺菌する能力を持つと考えられる。詳しくは嫌気性菌又はグラム陰性菌を抑えるが好気性又はグラム陽性菌には影響がない。つまり植物土壌病害菌の大半はグラム陰性菌であると考えられていることから植物土壌病害菌に対しのみ効果的に殺菌力を発揮する。
【００２５】
従って、これは植物細胞の病害抵抗性、抗酸化物質生成を高める著大な効果があるのである。
【００２６】
つまり土壌ＰＨの調整，土壌糖度の増加，土壌病害発顕要因となる偏好気性菌（フザリウム、ピリシウム、リゾクトニアなど）や線虫類の発育抑制，放線菌など有用な菌類の生育環境を整え、土壌の微生物的緩衝能を高める効果が得られ、さらに播種出芽時期及び活着後、さらに本発明の組成物を散布すると植物病害の抑制、根成育促進などの効果があるのである。
【実施例２】
【００２７】
次に特に鶏糞堆肥を選び、これにアルカリ性組成物を混合し散布したところ、アルカリ微生物の選択と増殖を即することができた。
【００２８】
先ず、以下には本発明の施工について説明する、本発明組成物本体を、田畠に散布したのちは約７日間放置する。この場合、当該土壌を適宣の手順で消毒した場合は、充分なガス抜きを行うことが肝要である。
【００２９】
また上記組成物本体と上記鶏糞堆肥とを併用するときは、あくまでも堆肥として仮当り、鶏糞堆肥毎作１５０Ｋｇ、上記組成物本体１００リッター、初回のみ散布する。但し、当該土壌の状況によっては、本組成物本体は６０リッターとし、二作目，三作目以降は適宣減量する。
【００３０】
さらに、上記組成物本体を堆肥との混合物を散布したときは、その熟成期間のため該散布ののち１０〜１４日間あけて播種、若しくは定?  するとよい。
【実施例３】
【００３１】
次に上記炭化物として炭化珪素を用いた。この炭化珪素合成の主原料としては籾殻炭化物がよく、還元雰囲気中で１４００℃以上に加熱した。反応式は、ＳｉＯ２＋３Ｃ→ＳｉＣ＋２ＣＯ合成された炭化珪素は、緑色炭化珪素で、一般の黒色炭化珪素と区別され、炭化珪素の粒径は０．２ｍμ〜０．３μほど、また、３〜１０μ程のウィスカー（針状単結晶）も観察された。その特長は、一般の炭化珪素は半導体で磁性を示さないが、ＫΩレベルの電導性を持ち磁性を示したのである。
【００３２】
次に、この実施例では、炭化珪素を精製するのに水に溶解させその後濾過して得た水そのもので、これは、界面活性作用を有し両媒性（親水性、親油性）で、水素イオン濃度は、ＰＨ６．０ほどの弱酸性を示した。また、この水から検出された主な原素は、Ｓｉ、Ｆｅ、Ｋ、Ｃａ、Ｓ、Ｍｇ、Ｎａ、Ｐなど３６種である。ゼーター電位（表面電荷）は、平均で、マイナス１８．５ｍＶであった。
【００３３】
次にこれを植物育成用の肥料として用いた具体例で述べると、果菜類としては、特にトマト、メロン、キュウリ、ナス、イチゴ等にあって、実を取り出してくると、必ずその樹勢が弱まりこの時期に病気が多発する。そこで、実を取り出す少々前に本発明の上記肥料を加える（施す）事によって樹勢が元気になり、病気発生を抑えることができたのである。また、例えば、メロンは従来１本に１ヶが実を付けるが、本発明を実施することで樹勢が強くなり、２〜３ヶまで実るようになった。さらに本発明を実施した効果は、トマトで５０％、キュウリで５０％、イチゴであれば７０〜８０％増産できたのである。
【００３４】
また花類については、上記のように樹勢が強くなった結果、特にバラ類は切っても切っても花を出荷出来るようになった。また切り花の輸送についての生花輸送は種々方法あるが、本発明を実施することで従来に比べ、２〜３月頃から７日間以上もしおれなかったとの報告がなされた。
【００３５】
さらに軟弱野菜類（ほうれん草、小松菜等）のその出荷前（２〜３日）に本発明のナノコロイド水を葉面散布する事で店頭に展示しても従来との比較に於いて、３日は延び、もちろん葉がしっかりしているとの報告がなされた。
【００３６】
続いて、根葉類である大根、人参、ゴボウ等は上記に加え作物の肌が良くなるとの効果が知らされている。
【００３７】
特に土壌の一般消毒に関しては、従来ＤＤＴより始まり臭化メチルですが、２００５臭化メチル使用葉となって、現在、これに変わるものがなかったが、本発明を実施したところ、正にこの臭化メチルより優れた効果が発揮されたのである。